(57)【特許請求の範囲】
【請求項１】
内側に吸水性裏地材（６）が備えられた防水性布部材（９）からなる袖本体（１）を備え、該袖本体（１）に、該袖本体（１）よりも径小な袖口部材（２）が縫着されてなる釣り用ウェアーであって、
前記袖本体（１）の袖先側で且つ前記袖口部材（２）が縫着された被縫着部（１ａ）よりも肘部側の部位（１ｂ）には、非吸水性合成樹脂からなるテープ基体（４ａ）の一面側に非吸水性の接着樹脂（４ｂ）が塗布されてなる非吸水性樹脂テープ（４）が、前記裏地材（６）に接着樹脂（４ｂ）が浸透し且つテープ基体（４ａ）が凸出して内側表面が樹脂面となるように、内周面に沿って周回した状態で貼着されてなることを特徴とする釣り用ウェアー。
【請求項２】
内側に吸水性裏地材（６）が備えられた防水性布部材（９）からなる袖本体（１）を備え、該袖本体（１）に、筒状連結部材（１４）を介して前記袖本体（１）よりも径小な袖口部材（２）が設けられてなる釣り用ウェアーであって、
前記袖口部材（２）は、前記筒状連結部材（１４）に縫着されてなり、前記筒状連結部材（１４）は、少なくとも内側が非吸水性とされ、互いに同径となる部位において前記袖本体（１）に縫着されてなり、
前記袖本体（１）の前記筒状連結部が縫着された被縫着部（１ａ）は、内側から目止めテープ（１０）が貼着されることにより目止めされてなることを特徴とする釣り用ウェアー。
【発明の詳細な説明】
【０００１】
【発明の属する技術分野】
本発明は、釣り用ウェアーに関し、特に、降水時の着用に好適な釣り用レインウェアーに関する。
【０００２】
【従来の技術】
従来、この種の釣り用ウェアーとしては、不用意な降雨や波飛沫等に備えるべく、クロロプレン等を備えた防水性布部材からなる袖本体を備えたものが着用されている。
また、防水性布部材は、一般に通気性が殆どなく、蒸れ易いという欠点を有することから、この種の釣り用ウェアーの防水性布部材には、内面側（ウェアーとされた際に内となる側）において、ナイロンメッシュ等の吸水性裏地材が備えられ、吸水性裏地材によってウェアー内での蒸れが抑制されている。
更に、従来の釣り用ウェアーは、手首に袖口をフィットさせて、保温性及び雨水等の侵入防止を図る等の種々の観点から、袖本体よりも径小な別体の筒状袖口部材が、袖本体の先端部等に縫着されている。
【０００３】
【発明が解決しようとする課題】
しかしながら、上記従来の釣り用ウェアーは、仮に手首に袖口部材がフィットしていても、依然として、袖本体の袖口部材が縫着された部分から袖本体内に雨水等の水が浸入する場合がある。
更に、袖口部材として、防水性布部材が用いられていない場合に於いては、先ず袖口部材に水がしみ込んで、該袖口部材から袖本体内に水が侵入することもある。
また、釣りに於いては、手を身体の前に出して（時には、肘よりも手を上にして）長時間釣竿を保持することも多く、この体勢を取っている際に、着用者の手首を伝って袖の中に雨水等が侵入することもある。
そして、袖内に侵入した水が吸水性裏地材に染み込み、毛細管現象（ウィッキング）により、袖内に広く浸透して肘部（肘を覆う部分）にまで到達し、着用者に不快感を与えるという問題点を有している。
【０００４】
これに対し、袖口部材として、両面が非吸水性の布部材からなるものを使用し、袖本体の袖口部材が縫着された被縫着部の内側に目止めテープを貼着する方法も考えられるが、袖本体の被縫着部よりも袖口部材が径小なため、縫着した際に袖本体に多くの皺が発生し、皺と皺との隙間から水が侵入し易く、水の侵入を充分に遮るように目止めテープを貼着することは、困難である。
【０００５】
そこで、上記従来の問題点に鑑み、本発明の課題は、袖内に侵入した水が袖内に広く浸透し肘を覆う部分にまで到達し難く、着用者に不快感を与える虞の少ない釣り用ウェアーを提供することにある。
【０００６】
【課題を解決するための手段】
上記課題を解決すべく、本発明は、内側に吸水性裏地材が備えられた防水性布部材からなる袖本体を備え、該袖本体に、該袖本体よりも径小な袖口部材が縫着されてなる釣り用ウェアーであって、
前記袖本体の袖先側で且つ前記袖口部材が縫着された被縫着部よりも肘部側の部位には、非吸水性合成樹脂からなるテープ基体（４ａ）の一面側に非吸水性の接着樹脂（４ｂ）が塗布されてなる非吸水性樹脂テープ（４）が、前記裏地材に接着樹脂（４ｂ）が浸透し且つテープ基体（４ａ）が凸出して内側表面が樹脂面なるように、非吸水性樹脂テープが内周面に沿って周回した状態で貼着されてなることを特徴とする釣り用ウェアーを提供する。
【０００７】
上記構成からなる釣り用ウェアーにあっては、樹脂テープが貼着された部分は樹脂が裏地材に浸透し且つ内側表面が樹脂面となることから、この部分に於いて裏地材の吸水性が阻害されると共に水が表面の樹脂面を伝いにくく、水の浸透が遮られることになる。そして、この樹脂テープは、袖本体の袖先側で且つ袖口部材が縫着された被縫着部よりも肘部（肘を覆う部分）側の部位に、内周面に沿って周回した状態で設けられてなるので、袖口や被縫着部の縫い目等から水が袖本体内に侵入しても、肘部側への水の浸透が抑制されことになる。
従って、袖内に水が広がり肘を覆う部分にまで到達する虞が低減され、着用者に不快感を与える虞が少ないものとなる。
尚、本発明に於いて、吸水性とは、毛細管現象により水を吸い上げる程度に水を吸収する性質を意味する。また、袖本体よりも径小とは、少なくとも袖本体の被縫着部よりも袖口部材が径小であることを意味する。
【０００８】
また、本発明は、内側に吸水性裏地材が備えられた防水性布部材からなる袖本体を備え、該袖本体に、筒状連結部材を介して前記袖本体よりも径小な袖口部材が設けられてなる釣り用ウェアーであって、
前記袖口部材は、前記筒状連結部材に縫着されてなり、前記筒状連結部材は、少なくとも内側が非吸水性とされ、互いに同径となる部位において前記袖本体に縫着されてなり、
前記袖本体の前記筒状連結部が縫着された被縫着部は、内側から目止めテープが貼着されることにより目止めされてなることを特徴とする釣り用ウェアーを提供する。
上記構成からなる釣り用ウェアーにあっては、互いに同径となる部位において筒状連結部材が袖本体に縫着されてなるので、先端部に皺が発生する虞も少なく、目止めテープによる目止めによって充分に水の侵入が抑制される。
しかも、筒状連結部材は、内側が非吸水性とされてなるので、袖口又は袖口部材が縫着された部分から水が侵入しても、水が連結部材内側に浸透し、袖本体の袖本体内にまで水が到達する虞も少ない。
従って、袖内に水が広く浸透し肘部にまで到達し難く、着用者に不快感を与える虞が少ないものとなる。
尚、本発明に於いて、同径とは、筒状連結部材を縫着した際に袖本体の被縫着部に皺が寄らない程度に同径であることを意味する。更に、目止めとは、縫い目及び縫着される部材との隙間を閉塞して液密にすることを意味する。
【０００９】
【発明の実施の形態】
以下、本発明の実施形態の釣り用ウェアーについて、図面を参酌しつつ説明する。
【００１０】
〈第１実施形態〉
先ず、第１実施形態の釣り用ウェアーについて説明する。
図１は、第１実施形態に係る釣り用ウェアーの袖の袖先側の部分、即ち、着用者の前腕を覆う部分を示す概略的正面図である。
【００１１】
本実施形態の釣り用ウェアーは、図１に示される袖本体１の先端部１ｄに該先端部１ｄよりも径小な袖口部材２が縫着されてなる袖を備えて構成されている。図２は、図１のＡ−Ａ線切断断面図、即ち、袖の袖先側を長手方向に切断した際の断面図である。
図２に示すように、前記袖本体１は、表地材７と吸水性裏地材６との間に防水樹脂シート８が積層された三層構造の防水性布部材９が筒状に縫製されて形成されている。
前記表地材７としては、ナイロン若しくはポリエステル生地（織物）等が用いられ、前記吸水性裏地材６としては、ナイロン製メッシュ地が使用され、防水樹脂シート８としては、ポリウレタンフィルム若しくはフッ素系フィルム等が使用されている。
前記袖口部材２は、布部材が筒状とされて構成されてなり、前記袖本体１の先端部１ｄの内周面に縫着されている。
前記袖口部材２を構成する布部材としては、伸縮性及び防水性を有する防水性の布部材（例えば、防水性のクロロプレンシートにジャージを貼った布等）が使用されている。
【００１２】
また、図２に示すように、前記袖本体１の内周面には、非吸水性樹脂テープ４が貼着されている。詳しくは、この樹脂テープ４は、袖本体１の袖先側であって袖口部材２が縫着された被縫着部１ａよりも肘部側（基端側）の部位１ｂに、内周面に沿って周回した状態で連続するように貼着されている。
図３は、この非吸水性樹脂テープ４の長手方向を横断する方向に切断した状態を示す断面端面図、図４は、図２の要部Ｂの拡大端面図である。
図３に示すように、この樹脂テープ４は、非吸水性合成樹脂からなる表面平滑なテープ基体４ａの一面側に、非吸水性接着樹脂４ｂが塗布されて構成されてなり、図４に示すように、接着樹脂４ｂが裏地材６に浸透し且つテープ基体４ａが露出することにより内側（裏地側）表面が平滑な樹脂面となるように、接着樹脂４ｂ側を貼着面として袖本体１の内周面に貼着されている。
この樹脂テープ４のテープ基体４ａ及び接着樹脂４ｂとしては、それぞれ非吸水性（疎水性）の樹脂が使用され、具体的には、テープ基体４ａとして、ポリウレタン樹脂等が使用される。また、接着樹脂４ｂとしては、吸水性裏地材６に浸透するように、揮発溶剤を含有し且つ浸透後に該溶剤の揮発によって固まる樹脂、例えば、ウレタン樹脂が使用される。
尚、接着樹脂４ｂとしては、加熱により溶融し吸水性裏地材６に浸透するホットメルト樹脂等が使用されても良い。この場合、樹脂テープ４は、接着樹脂４ｂ側を貼着面として熱プレスされることにより貼着される。
この樹脂テープ４の幅方向の長さは、通常、１〜２ｃｍに設定されている。
【００１３】
第１実施形態の釣り用ウェアーは、樹脂テープ４が上述の如く貼着されてなるので、袖内に侵入した水が、樹脂テープ４が貼着された部分でせき止められ、袖内に広く浸透する虞が低減される。更に、表面が平滑な樹脂面となっているので、水が表面を伝って、袖内に広く浸透し、肘を覆う部分にまで到達する虞も低減される。
また、樹脂テープ４が貼着された部分以外の内周面は、吸水性裏地材６の吸水性が担保され、内側の蒸れも抑制され、着用感の良好な釣り用ウェアーとなる。
【００１４】
〈第２実施形態〉
次に、第２実施形態の釣り用ウェアーについて説明する。
尚、便宜上、第１実施形態と同じ部分については、同一の符号を用い、同一の構成については、その説明を省略する。
【００１５】
第２実施形態の釣り用ウェアーは、図５に示すように、内側に吸水性裏地材６が備えられた防水性布部材９からなる内袖本体１１と外袖本体１２を有する２重袖構造とされ袖本体１を備え、袖口部材２は、内袖本体１１に縫着されてなる。また、内袖本体１１と外袖本体１２とは、それぞれ同径の部分において縫合されてなり、縫い目等は、目止めテープ１０が貼着されることによって目止めされている。
ここで、目止めテープ１０としては、非吸水性テープ基体の非貼着面に吸水性布（ニット等）が備えられ、貼着面に非吸水性接着樹脂が塗布されてなるテープで、貼着すると非吸水性接着樹脂が縫い目等に侵入して、縫い目等を閉塞するテープが使用されている。この目止めテープ１０のテープ基体及び接着樹脂としては、上述の非吸水性樹脂テープ４において例示したものと同様の樹脂が使用されて構成される。
【００１６】
前記内袖本体１１の内周面であって、袖口部材２が縫着された被縫着部１ａより肘部側で且つ外袖本体１２に縫着された部分よりも袖口側の部位１ｂ１に、第１非吸水性樹脂テープ４が貼着されている。
また、目止めテープ１０が貼着された部分の近傍で且つ肘部側の部位１ｂ２には、第２非吸水性樹脂テープ４が貼着されている。
尚、第１非吸水性樹脂テープ４及び第２非吸水性樹脂テープ４の構成については、第１実施形態と同様である。
【００１７】
本第２実施形態に於いては、袖口部材２の縫着された被縫着部１ａの縫い目等から袖内に侵入した水は、第１非吸水性樹脂テープ４によって、上方（肘部側）への浸透が抑制されると共に、内袖本体１１と外袖本体１２とが縫合された部分の目止めが不十分な場合であっても、第２非吸水性樹脂テープ４によって、水の上方への浸透が抑制され、着用者に不快感を与える虞が抑制されている。
【００１８】
〈第３実施形態〉
次に、第３実施形態の釣り用ウェアーについて説明する。
尚、上記実施形態と同じ部分については同一の符号を用い、同一の構成についてはその説明を省略する。
【００１９】
第３実施形態の釣り用ウェアーは、図６に示すように、袖口部材２が筒状連結部材１４を介して袖本体１に設けられてなる。
前記筒状連結部材１４は、少なくとも内側が非吸水性とされた２重構造の布部材が筒状とされて構成されている。
この布部材としては、例えば、ポリウレタンコーティング生地等が使用される。
また、前記筒状連結部材１４は、少なくとも一端部１４ａが袖本体１の先端部１ｄと同径に設定され、該一端部１４ａにおいて該袖本体１の先端部１ｄに縫着されてなり、袖本体１の筒状連結部材１４が縫着された被縫着部１ａは、目止めテープ１０が貼着されることにより、目止めされている。この目止めテープ１０としては、縫い目を閉塞し且つ被縫着部分１ａの水密性を担保しうるものであれば、第１実施形態における非吸水性樹脂テープ４であっても、第２実施形態と同様の構成の目止めテープ１０であっても何れの構成であってもよい。
【００２０】
一端部１４ａが前記袖本体１に縫着された筒状連結部材１４の他端部１４ｂには、袖口部材２が縫着されている。この袖口部材２は、筒状連結部材１４の他端部１４ｂよりも径小で、筒状連結部材１４の内側から縫着されている。
本第３実施形態の釣り用ウェアーは、袖本体１先端部１ｄに、同径に設定された筒状連結部材１４の一端部１４ａが縫着されてなるので、先端部１ｄに皺が発生する虞も少なく、目止めテープ１０による目止めによって充分に水の侵入が抑制される。
しかも、筒状連結部材１４は、内側が非吸水性とされてなるので、袖口又は袖口部材２が縫着された被縫着部から内側に水が侵入しても、連結部材１４内側に浸透して水が袖本体１内にまで到達する虞も少ない。従って、袖内に水が広がり難く、着用者に不快感を与える虞が少ないものとなる。
【００２１】
尚、本第３実施形態においては、筒状連結部材１４は、袖本体１の先端部１ｄに縫着されたが、本発明の釣り用ウェアーにおいては、図７に示すごとく、筒状連結部材１４が袖本体１の内側に没入するように、袖本体１の袖先側の部分のうち袖本体１の先端部１ｄよりもやや肘部側の部分１ｃに、該筒状連結部材１４が縫着される場合であっても良い。
【００２２】
【発明の効果】
以上のように、本発明に係る釣り用ウェアーは、袖内に侵入した水が袖内に広く浸透し肘を覆う部分にまで到達し難く、着用者に不快感を与える虞が少ないという利点を有する。
【図面の簡単な説明】
【図１】第１実施形態に係る釣り用ウェアーの概略的正面図。
【図２】同実施形態の軸方向切断断面図。
【図３】同実施形態の樹脂テープの幅方向切断端面図。
【図４】同実施形態の要部拡大端面図。
【図５】第２実施形態の軸方向切断端面図。
【図６】第３実施形態の軸方向切断端面図。
【図７】第４実施形態の軸方向切断端面図。
【符号の説明】
１・・・袖本体、１ａ・・・被縫着部、２・・・袖口部材、４・・・樹脂テープ、１０・・・目止めテープ、１４・・・筒状連結部材
【図１】
0003787096.tif 000002
【図２】
0003787096.tif 000003
【図３】
0003787096.tif 000004
【図４】
0003787096.tif 000005
【図５】
0003787096.tif 000006
【図６】
0003787096.tif 000007
【図７】
0003787096.tif 000008